(57)【要約】【課題】水栓本体の基部周辺に残る汚れを簡便に清掃可能にする水栓用基部カバーを提供すること。【解決手段】水栓本体２の設置面Ｍ１から延び出る基部２Ａに取り付けられて設置面Ｍ１を被覆する基部カバー１０であって、基部２Ａの周囲側面に取り付けられる取付部１１と、基部２Ａの全周囲からフランジ状に張り出して設置面Ｍ１上に被せられる被覆部１２と、を有し、被覆部１２が、使用者により外部から掛けられる力によって、取付部１１による基部２Ａへの取り付け状態を維持しつつ、設置面Ｍ１に対する被覆位置Ｐからずらされる形に撓む弾性構造１０Ａを有する。【選択図】図６
2020186529.tif 000002
【特許請求の範囲】
【請求項１】
水栓本体の設置面から延び出る基部に取り付けられて前記設置面を被覆する水栓用基部カバーであって、
前記基部の周囲側面に取り付けられる取付部と、
前記基部の全周囲からフランジ状に張り出して前記設置面上に被せられる被覆部と、を有し、
前記被覆部が、使用者により外部から掛けられる力によって、前記取付部による前記基部への取り付け状態を維持しつつ、前記設置面に対する被覆位置からずらされる形に撓む弾性構造を有する水栓用基部カバー。
【請求項２】
請求項１に記載の水栓用基部カバーであって、
前記被覆部が、前記基部との間に半径方向の内側に撓める隙間を有する水栓用基部カバー。
【請求項３】
請求項１又は請求項２に記載の水栓用基部カバーであって、
前記弾性構造が、前記被覆部を前記基部の周囲側面との当接面を支点に前記設置面上から捲り上げ可能とする水栓用基部カバー。
【請求項４】
請求項３に記載の水栓用基部カバーであって、
前記被覆部が、前記設置面上に被せられる外側被覆面部と、該被覆面部によって囲われた前記基部の周囲領域に被せられて前記設置面上に当てられる内側被覆面部と、を有する二股状の断面形状とされ、前記外側被覆面部が、前記内側被覆面部を残して前記設置面上から捲り上げられる水栓用基部カバー。
【請求項５】
請求項３又は請求項４に記載の水栓用基部カバーであって、
前記被覆部が、部分的に肉厚の括れたインテグラルヒンジを有する断面形状とされ、前記インテグラルヒンジを中心とした捲り上げにより弾発力の作用方向がターンオーバして捲り上げられた形に弾性的に保持される水栓用基部カバー。
【発明の詳細な説明】
【技術分野】
【０００１】
本発明は、水栓用基部カバーに関する。詳しくは、水栓本体の設置面から延び出る基部に取り付けられて前記設置面を被覆する水栓用基部カバーに関する。
【背景技術】
【０００２】
いわゆる台付きタイプの水栓金具において、水栓本体の設置面から延び出る基部が設置面に向けて円錐台状に広がる傾斜形状とされたものが知られている（特許文献１）。上記形状により、水栓本体の基部と設置面とが傾斜状に繋がって、拭き掃除をした際に汚れが水栓下部に残りにくくなっている。
【先行技術文献】
【特許文献】
【０００３】
【特許文献１】特開２００７−２３１５９２号公報
【発明の概要】
【発明が解決しようとする課題】
【０００４】
水栓本体と設置面とは互いに別体であるため、円錐台状に広がる基部と設置面との間には、僅かながらも汚れの詰まる段差や隙間が形成されてしまう。そこで、本発明は、水栓本体の基部周辺に残る汚れを簡便に清掃可能にする水栓用基部カバーを提供する。
【課題を解決するための手段】
【０００５】
上記課題を解決するために、本発明の水栓用基部カバーは次の手段をとる。
【０００６】
すなわち、本発明の水栓用基部カバーは、水栓本体の設置面から延び出る基部に取り付けられて設置面を被覆する水栓用基部カバーである。この水栓用基部カバーは、基部の周囲側面に取り付けられる取付部と、基部の全周囲からフランジ状に張り出して設置面上に被せられる被覆部と、を有し、被覆部が、使用者により外部から掛けられる力によって、取付部による基部への取り付け状態を維持しつつ、設置面に対する被覆位置からずらされる形に撓む弾性構造を有する。
【０００７】
上記構成によれば、通常時、基部の全周囲から張り出して設置面を覆う被覆部を、使用者が外部から力を掛けることで撓ませて被覆位置からずらすことができる。それにより、設置面上に溜まった汚れを簡便に清掃することができる。
【０００８】
また、本発明の水栓用基部カバーは、更に次のように構成されていてもよい。被覆部が、基部との間に半径方向の内側に撓める隙間を有する。
【０００９】
上記構成によれば、被覆部をより簡便に半径方向の内側に押し撓ませることができる。
【００１０】
また、本発明の水栓用基部カバーは、更に次のように構成されていてもよい。弾性構造が、被覆部を基部の周囲側面との当接面を支点に設置面上から捲り上げ可能とする。
【００１１】
上記構成によれば、被覆部の捲り上げにより設置面をより広く開放させて、設置面上に溜まった汚れをより簡便に清掃することができる。
【００１２】
また、本発明の水栓用基部カバーは、更に次のように構成されていてもよい。被覆部が、設置面上に被せられる外側被覆面部と、被覆面部によって囲われた基部の周囲領域に被せられて設置面上に当てられる内側被覆面部と、を有する二股状の断面形状とされる。外側被覆面部が、内側被覆面部を残して設置面上から捲り上げられる。
【００１３】
上記構成によれば、外側被覆面部を捲り上げた状態においても、内側被覆面部によって基部の周囲領域と設置面とを被覆した状態とすることができる。また、通常時、外側被覆面部と内側被覆面部とによる内外２重の被覆構造によって、水栓本体の基部と設置面との角部に汚れを入り込みにくくすることができる。
【００１４】
また、本発明の水栓用基部カバーは、更に次のように構成されていてもよい。被覆部が、部分的に肉厚の括れたインテグラルヒンジを有する断面形状とされ、インテグラルヒンジを中心とした捲り上げにより弾発力の作用方向がターンオーバして捲り上げられた形に弾性的に保持される。
【００１５】
上記構成によれば、外側被覆面部を捲り上げた状態に保持することで、設置面上に溜まった汚れをより簡便に清掃することができる。
【図面の簡単な説明】
【００１６】
【図１】第１の実施形態の水栓用基部カバーの概略構成を表す斜視図である。
【図２】図１の側面図である。
【図３】図２のＩＩＩ−ＩＩＩ線断面図である。
【図４】基部カバーを水栓本体から外した分解斜視図である。
【図５】基部カバーを内側に押し込んだ状態を表す斜視図である。
【図６】押し込まれた基部カバーの図３に対応する断面図である。
【図７】基部カバーを設置面上から捲り上げた状態を表す斜視図である。
【図８】捲り上げられた基部カバーの図３に対応する断面図である。
【図９】基部カバー全周を捲り上げた状態を表す斜視図である。
【図１０】捲り上げられた基部カバーの図３に対応する断面図である。
【発明を実施するための形態】
【００１７】
以下に、本発明を実施するための形態について、図面を用いて説明する。
【００１８】
《第１の実施形態》
始めに、本発明の第１の実施形態に係る基部カバー１０（水栓用基部カバー）が適用された混合水栓１の構成について、図１〜図１０を用いて説明する。なお、以下の説明において、前後上下左右等の各方向を示す場合には、各図中に示されたそれぞれの方向を指すものとする。
【００１９】
図１に示すように、本実施形態に係る基部カバー１０は、シンクの天板Ｍ上に設置される、いわゆる台付きタイプの混合水栓１に適用されている。上記混合水栓１は、天板Ｍの下側から供給される湯と水とを内部で混合して吐出することのできる機能を備える。具体的には、混合水栓１は、供給される湯水の混合割合を調節する温調機能と、混合した湯水の吐止水を切り替える切替機能と、吐出する湯水の吐出量を調節する吐出量の調節機能と、を備える。
【００２０】
上記湯水の混合割合の調節と、吐止水の切り替えと、吐出量の調節とは、それぞれ、水栓本体２の手前側上部に取り付けられた１本のレバーハンドル４の操作によって行われる。すなわち、使用者がレバーハンドル４を掴んで左右に回転位置を変化させることにより、水栓本体２の内部に設けられた不図示のカートリッジが操作されて、水栓本体２の内部で混合される湯水の混合割合が回転位置に応じた設定温度となるように調節される。
【００２１】
また、使用者がレバーハンドル４を掴んで上向きに回転させることにより、その回転移動量に応じた量の湯水が、水栓本体２の奥側上部から上向きに延びるカラン３より吐出される。上記水栓本体２は、その外周面全体を覆う樹脂製の本体カバーによって、天板Ｍの設置面Ｍ１上から略円筒形状に立ち上がる外観に仕上げられた構成とされる。
【００２２】
上記水栓本体２の設置面Ｍ１から延び出る基部２Ａには、同基部２Ａの周囲側面を被覆するエラストマー製の基部カバー１０が取り付けられている。上記基部カバー１０は、図１〜図４に示すように、上記基部２Ａの周囲側面全周を取り囲む略リング状の形に形成されている。上記基部カバー１０は、図３〜図４に示すように、上記水栓本体２の基部２Ａに下方から通されることにより、同基部２Ａの周囲側面にスナップフィット嵌合して一体的に組み付けられている。
【００２３】
具体的には、基部カバー１０は、上記基部２Ａに下方から通されることにより、その上縁側の内周部に形成されたフランジ状の段差を成す取付部１１が、上記基部２Ａの周囲側面に形成されたリング状に凹む凹面２Ｂ内に弾性的に面当接した状態に嵌り込んで係合する。そしてそれにより、基部カバー１０は、図３に示すように、その取付部１１より下方に略円錐台状に広がる形に延出する被覆部１２が、基部２Ａの凹面２Ｂより下側の周囲側面（後述する当接面２Ｃ）全周に弾性的に面当接した状態に嵌り込む。
【００２４】
そして、上記組み付け後に、水栓本体２を天板Ｍ上に設置することにより、図１〜図３に示すように、基部カバー１０が、被覆部１２によって設置面Ｍ１を被覆した状態にセットされる。本実施形態では、基部カバー１０は、上記設置によって、被覆部１２の下縁部全周が設置面Ｍ１上に広く接地する形にセットされるようになっている。具体的には、図３に示すように、上記被覆部１２は、基部２Ａの周囲側面に沿って取付部１１から下方に延びる略円筒形状の内側被覆面部１２Ａと、内側被覆面部１２Ａよりひとまわり大きな略円筒形状を成して設置面Ｍ１を被覆する外側被覆面部１２Ｂとを有する、内外二重の円筒形状を持つ二股状に分岐した断面形状とされる。
【００２５】
上記被覆部１２は、上記水栓本体２が天板Ｍ上に設置された状態では、内側被覆面部１２Ａも外側被覆面部１２Ｂもそれぞれ設置面Ｍ１上に接地された状態にセットされる。上記被覆部１２は、上記外側被覆面部１２Ｂの内側被覆面部１２Ａとの繋ぎ目となる部分が、部分的に肉厚の括れたインテグラルヒンジ１２Ｃを成す構成とされる。
【００２６】
上記設置により、基部カバー１０は、水栓本体２の基部２Ａの周囲の設置面Ｍ１を被覆して、外側被覆面部１２Ｂにより覆った設置面Ｍ１上の領域内に外部から水や汚れが入り込まないよう保護するようになっている。しかし、上記設置面Ｍ１を被覆する基部カバー１０の外側被覆面部１２Ｂの周縁部には、周囲を拭き掃除等で清掃したとしても、比較的水や汚れが溜まりやすい。その理由は、外側被覆面部１２Ｂと設置面Ｍ１とが完全な面一形状とはならず、互いの間に僅かな窪み状の段差が形成されるためである。
【００２７】
そこで、上記基部カバー１０の周縁部に残る汚れを簡便に清掃できるようにするため、基部カバー１０は、図５〜図１０に示すように、使用者により外部から掛けられる力によって、外側被覆面部１２Ｂを設置面Ｍ１に対する被覆位置Ｐからずらす形に撓ませられる構成とされる。それにより、外側被覆面部１２Ｂの周縁部に残る設置面Ｍ１上の汚れが、外側被覆面部１２Ｂの撓みによって開放された広い設置面Ｍ１上に位置する状態となるため、拭き掃除等で簡便に清掃することができる。
【００２８】
具体的には、上記基部カバー１０は、その全体がエラストマーにより形成された構成により、使用者により外部から掛けられる力によって目に見える形に撓まされる弾性構造１０Ａを有する。それにより、基部カバー１０は、図５〜図６に示すように、使用者が上記被覆部１２に外部から押し込む力を掛けることにより、外側被覆面部１２Ｂの力の掛けられた部分が内部に押し込まれる形に撓まされる。
【００２９】
詳しくは、上記外側被覆面部１２Ｂは、上記のような押し込み力を受けることにより、その初期状態において内側被覆面部１２Ａとの間に形成された半径方向の隙間Ｔ（図３参照）により、比較的軽い力で内部に押し込まれるようになっている。したがって、上記押し込みにより開放された設置面Ｍ１上の汚れを簡便に清掃することができる。上記基部カバー１０は、上記外側被覆面部１２Ｂに対する押し込みの力が解かれることにより、その弾発力により初期形状に戻される。上記隙間Ｔは、被覆部１２の下面部に開口して形成された縦長状に延びる円筒形状のスリットにより形成されている。
【００３０】
また、基部カバー１０は、図７〜図８に示すように、使用者が上記外側被覆面部１２Ｂを指で摘んで引き上げるように力を掛けることにより、外側被覆面部１２Ｂの力の掛けられた部分が内側被覆面部１２Ａを残して設置面Ｍ１上から捲り上げられる形に撓まされる。それにより、上記押し込みによって開放された設置面Ｍ１上の汚れを簡便に清掃することができる。上記基部カバー１０は、上記外側被覆面部１２Ｂに対する引き上げの力が解かれることにより、その弾発力により初期形状に戻される。
【００３１】
また、基部カバー１０は、図９〜図１０に示すように、使用者が上記外側被覆面部１２Ｂを全周に亘って捲り上げるように力を掛けることにより、外側被覆面部１２Ｂが内側被覆面部１２Ａとの繋ぎの括れ部となるインテグラルヒンジ１２Ｃを中心に、被覆部１２の内周面と基部２Ａとの当接面２Ｃを支点に全周が内側被覆面部１２Ａを残して設置面Ｍ１上から上向き円筒状に捲り上げられる形に撓まされる。そして、そのように捲り上げられることにより、外側被覆面部１２Ｂは、弾発力の作用方向がターンオーバして捲り上げられた形に弾性的に保持される。
【００３２】
したがって、使用者が外側被覆面部１２Ｂに力を掛け続けることなく、外側被覆面部１２Ｂを全周に亘って広く捲り上げた形に保持することができるため、基部２Ａの全周囲に亘って、設置面Ｍ１上に残った汚れを簡便に清掃することができる。上記外側被覆面部１２Ｂは、上記捲り上げられた状態から、使用者が外側被覆面部１２Ｂを摘んで下方に押し込むように周方向に亘って順に力を掛けることにより、途中から弾発力の作用方向が元に戻されて初期形状に戻される。
【００３３】
上記基部カバー１０は、図４で前述したように水栓本体２に対して着脱できるように取り付けられていることから、経年劣化等により破損した際に別のものに交換することができる。また、施工時に、設置面Ｍ１や基部カバー１０の形状に合った形を持つ基部カバー１０を適宜選択して取り付けることができる。具体的には、上記基部カバー１０は、次のように水栓本体２の基部２Ａから取り外すことができる。
【００３４】
先ず、水栓本体２をシンクの天板Ｍ上から取り外して、同水栓本体２の内部に通された不図示の給水・給湯ホースを取り外す。次に、水栓本体２の基部２Ａに取り付けられている基部カバー１０を水栓本体２から下方に引っ張って基部２Ａとのスナップフィット状態から外す。これにより、基部カバー１０を水栓本体２の基部２Ａに対する取付状態から取り外すことができる。なお、基部カバー１０を水栓本体２の基部２Ａに取り付ける方法については、前述した通りである。
【００３５】
以上をまとめると、第１の実施形態に係る基部カバー１０は、次のような構成となっている。すなわち、水栓本体（２）の設置面（Ｍ１）から延び出る基部（２Ａ）に取り付けられて設置面（Ｍ１）を被覆する水栓用基部カバー（１０）であって、基部（２Ａ）の周囲側面に取り付けられる取付部（１１）と、基部（２Ａ）の全周囲からフランジ状に張り出して設置面（Ｍ１）上に被せられる被覆部（１２）と、を有し、被覆部（１２）が、使用者により外部から掛けられる力によって、取付部（１１）による基部（２Ａ）への取り付け状態を維持しつつ、設置面（Ｍ１）に対する被覆位置（Ｐ）からずらされる形に撓む弾性構造（１０Ａ）を有する。
【００３６】
上記構成によれば、通常時、基部（２Ａ）の全周囲から張り出して設置面（Ｍ１）を覆う被覆部（１２）を、使用者が外部から力を掛けることで撓ませて被覆位置（Ｐ）からずらすことができる。それにより、設置面（Ｍ１）上に溜まった汚れを簡便に清掃することができる。
【００３７】
また、被覆部（１２）が、基部（２Ａ）との間に半径方向の内側に撓める隙間（Ｔ）を有する。上記構成によれば、被覆部（１２）をより簡便に半径方向の内側に押し撓ませることができる。
【００３８】
また、弾性構造（１０Ａ）が、被覆部（１２）を基部（２Ａ）の周囲側面との当接面（２Ｃ）を支点に設置面（Ｍ１）上から捲り上げ可能とする。上記構成によれば、被覆部（１２）の捲り上げにより設置面（Ｍ１）をより広く開放させて、設置面（Ｍ１）上に溜まった汚れをより簡便に清掃することができる。
【００３９】
また、被覆部（１２）が、設置面（Ｍ１）上に被せられる外側被覆面部（１２Ｂ）と、被覆面部によって囲われた基部（２Ａ）の周囲領域に被せられて設置面（Ｍ１）上に当てられる内側被覆面部（１２Ａ）と、を有する二股状の断面形状とされる。外側被覆面部（１２Ｂ）が、内側被覆面部（１２Ａ）を残して設置面（Ｍ１）上から捲り上げられる。
【００４０】
上記構成によれば、外側被覆面部（１２Ｂ）を捲り上げた状態においても、内側被覆面部（１２Ａ）によって基部（２Ａ）の周囲領域と設置面（Ｍ１）とを被覆した状態とすることができる。また、通常時、外側被覆面部（１２Ｂ）と内側被覆面部（１２Ａ）とによる内外２重の被覆構造によって、水栓本体（２）の基部（２Ａ）と設置面（Ｍ１）との角部に汚れを入り込みにくくすることができる。
【００４１】
また、被覆部（１２）が、部分的に肉厚の括れたインテグラルヒンジ（１２Ｃ）を有する断面形状とされ、インテグラルヒンジ（１２Ｃ）を中心とした捲り上げにより弾発力の作用方向がターンオーバして捲り上げられた形に弾性的に保持される。上記構成によれば、外側被覆面部（１２Ｂ）を捲り上げた状態に保持することで、設置面（Ｍ１）上に溜まった汚れをより簡便に清掃することができる。
【００４２】
《その他の実施形態について》
以上、本発明の実施形態を１つの実施形態を用いて説明したが、本発明は上記実施形態のほか、以下に示す様々な形態で実施することができるものである。
【００４３】
１．本発明の水栓用基部カバーは、上記実施形態で示したような台付きタイプの混合水栓の他、台付きタイプの単水栓にも適用可能である。また、水栓用基部カバーは、壁付けタイプの混合水栓及び単水栓にも適用可能である。
【００４４】
２．水栓用基部カバーは、エラストマーの他、塩化ビニル樹脂やシリコーンゴム等の他の弾性材料から成るものであっても良い。また、水栓用基部カバーは、硬さの異なる材料を組み合わせて一体成形した２色成形材やインサート成形材から成るものであっても良い。
【００４５】
３．被覆部は、必ずしも全体が弾性構造となっていなくても良く、部分的に弾性構造を有するものであっても良い。また、被覆部は、上記実施形態で示したような内外２重の被覆構造となっているものの他、内外１重もしくは３重以上の被覆構造となっているものであっても良い。
【００４６】
被覆部が内外１重の被覆構造となっている場合には、被覆部を半径方向の内側に撓ませやすくする隙間は、被覆部と基部との間に設けられることなる。しかし、被覆部が内外２重以上の被覆構造となっている場合には、被覆部の各被覆層の間、もしくは最内側の被覆層と基部との間に隙間を設けても良い。
【符号の説明】
【００４７】
１      混合水栓
２      水栓本体
２Ａ    基部
２Ｂ    凹面
２Ｃ    当接面
３      カラン
４      レバーハンドル
１０    基部カバー（水栓用基部カバー）
１０Ａ  弾性構造
１１    取付部
１２    被覆部
１２Ａ  内側被覆面部
１２Ｂ  外側被覆面部
１２Ｃ  インテグラルヒンジ
Ｍ      天板
Ｍ１    設置面
Ｔ      隙間
Ｐ      被覆位置
【図１】
2020186529.tif 000003
【図２】
2020186529.tif 000004
【図３】
2020186529.tif 000005
【図４】
2020186529.tif 000006
【図５】
2020186529.tif 000007
【図６】
2020186529.tif 000008
【図７】
2020186529.tif 000009
【図８】
2020186529.tif 000010
【図９】
2020186529.tif 000011
【図１０】
2020186529.tif 000012